(57)【要約】本発明は喫煙物品用容器に関する。この容器は、一箱の喫煙物品の回りの密閉した開閉容器（１）とその容器の外側に配置されたシート状材料のラップ（７）からなる。このシート状材料のラップ（７）は、該ラップ（７）を引き裂くか、あるいは部分的にまたは全体を取り除くことなく、容器（１）を最初に開けることができないという手段を与えるように形付けられている。
2004508244.tif 000002
【特許請求の範囲】
【請求項１】
二つの主壁、二つの側壁、及び二つの端部壁を有する喫煙物品用容器であって、該容器が、１箱の喫煙物品の回りのバリヤー材料層の密閉した開閉容器からなり、該バリヤー材料層には喫煙物品取り出し口が決められており、該口が上端部壁から容器の主壁面の一方に入り込んで延びており、そこには該口を渡って延び、そして該口のエッジのすべてを越えて延びたカバー層を有し、該カバー層は、該口を越えて該口のエッジに隣接するバリヤー材料層と係合できる永久的粘着性表面からなり、該カバー層は接着しないプル−タブを有し、それにより口を開けた後、前記口を越え前記エッジに隣接するバリヤー材料層と該カバー層の永久的粘着性表面とを再び係合させることにより前記開閉容器を再び密閉することができ、及び
シート状材料のラップが開閉容器の外側に付設され、該ラップは、カバー層の少なくとも一部分とそれに隣接するバリヤー材料層に渡って延びており、該ラップを引き裂き、あるいは部分的に又はすべてを取り除くことで、喫煙物品取り出し口を最初に開けることができることを特徴とする喫煙物品用容器。
【請求項２】
シート状材料のラップが、接着性のないプル−タブにアクセスするのを妨げない請求項１に記載の喫煙物品用容器。
【請求項３】
シート状材料のラップが、密封した開閉容器の前面及び背面主壁、二つの側壁、及び底端部壁に渡って延びている請求項１に記載の喫煙物品用容器。
【請求項４】
カバー層の接着性のないプル−タブの位置にシート状材料のラップが、細長く、横方向に延びた開口を有する請求項１乃至３のいずれかに記載の喫煙物品用容器。
【請求項５】
接着性のないプル−タブが、開口を通して突き出ている請求項４に記載の喫煙物品用容器。
【請求項６】
シート状材料のラップにある弱いラインが、細長いフラップを決めており、該フラップが弱くない下部ヒンジラインを有し、その結果、フラップがヒンジラインの回りで外側下方に折りたたまれると、開口が現れ、それにより接着性のないプル−タブが延びることができる請求項１乃至３のいずれかに記載の喫煙物品用容器。
【請求項７】
シート状材料のラップにある開口が、ラップに付けた１つのカットラインであり、ここを通してプル−タブが延びている請求項１乃至３のいずれかに記載の喫煙物品用容器。
【請求項８】
シート状材料のラップが、前面主壁の部分、側面壁及び底端部壁に渡って延びている請求項１乃至７のいずれかに記載の喫煙物品用容器。
【請求項９】
シート状材料のラップが、側面壁及び底端部壁のすべてを実質的に覆っている請求項８に記載の喫煙物品用容器。
【請求項１０】
シート状材料のラップが、少なくともカバー層の部分と上端部壁のバリヤー材料層に渡って延びている請求項８又は９に記載の喫煙物品用容器。
【請求項１１】
シート状材料のラップが、実質的に上端部壁のすべてに渡って延びている請求項１０に記載の喫煙物品用容器。
【請求項１２】
シート状材料のラップが、カバー層の部分と前面主壁のバリヤー層に渡って延びている請求項１又は２に記載の喫煙物品用容器。
【請求項１３】
シート状材料のラップに少なくとも１つの弱いラインがあり、それにより、弱いラインに沿ってシート状材料のラップを引き裂くことで喫煙物品取り出し口を最初に開けることができる請求項１２に記載の喫煙物品用容器。
【請求項１４】
シート状材料のラップが、開閉容器の前面主壁にカバー層を実質的に隠すように、密閉した開閉容器の前面主壁のすべてを実質的に渡って延びている請求項１に記載の喫煙物品用容器。
【請求項１５】
シート状材料のラップが、そこに弱いラインを有する請求項１４に記載の喫煙物品用容器。
【請求項１６】
シート状材料のラップが、プル−タブを有し、それによりシート状材料のラップが、引き裂かれるか、あるいは部分的に又は全部が取り除かれる請求項１４又は１５に記載の喫煙物品用容器。
【請求項１７】
プル−タブが、容器の側壁か上端部壁のいずれかに隣接して位置している請求項１６に記載の喫煙物品用容器。
【請求項１８】
シート状材料のラップが、密閉した開閉容器に接着剤で固定されている請求項１乃至１７のいずれかに記載の喫煙物品用容器。
【請求項１９】
容器が、フレーム手段を含み、該手段が、一箱の喫煙物品と開閉容器の壁との間に配置されている請求項１乃至１８のいずれかに記載の喫煙物品用容器。
【発明の詳細な説明】
【０００１】
【発明の属する技術分野】
本発明は、例えば、シガレット（紙巻きタバコ）、シガリロ（タバコの葉で巻いた巻きタバコ）、及びシガー（葉巻）のような喫煙物品の容器に関する。
【０００２】
【従来の技術】
一箱の紙巻タバコの回りにシート状バリヤー材料の密閉した開閉容器によって紙巻タバコを包装することが提案されている。この容器は、タバコ取り出し口とカバー層を有し、カバー層は、口を密閉状態で閉じるように機能する。カバー層はその下面で縁領域に永久的粘着性の接着剤を有するので、容器からタバコを取り出せるように口をあけるためにカバー層を後ろに剥した後、カバー層は、口の周辺で開閉容器のバリヤー材料の外側面に対して再び接着され、従って再び閉じることができる。
【０００３】
口は、箱型、例えば、矩形にバリヤー材料をカットし、バリヤー材料のこのように決められた部分を除去することで得ることができる。この場合、カバー層の材料は、バリヤー材料であることが好ましい。口は、別の方法として、箱型にバリヤー材料をカットし、カットラインにより決められたバリヤー材料の部分を除去する代わりに、カバー層を上に充てて、バリヤー材料のその部分にカバー層を接着させることによっても得ることができる。従って代替法に従うと、カバー層が後ろに剥されると、バリヤー材料の前述の部分は、口から取り除かれ、カバー層がその口が閉じた位置に再び戻されるとその中に再び入ってしまう。ＷＯ０９８／２２３６７の明細書及び図面に開示されているように、箱型にカットラインを与える代わりに、カバー層はフラップに接着されているので、カットライン又は弱いラインをフラップ（折り返し片）を決めるように与えることができる。
【０００４】
密閉した開閉容器用で提案されたシート状バリヤー材料は、高いバリヤー特性を有する。従って容器に入れたタバコは、湿度の変化や揮発性のフレーバー化合物の損失から保護される。それにより喫煙者は、たとえ容器が従来の構成であった場合に得られたであろう賞味期間をかなり越えた期間倉庫に入れた場合でも工場の新鮮なタバコを享受することができる。
【０００５】
再び密閉できるバリヤー容器からなるタバコ容器の重要な長所は、元のタバコの状態を維持することであるので、喫煙者が、容器の従来開口がなかった容器を手に入れたときのような確信をもてることが重要である。
【０００６】
【発明が解決しようとする課題】
従って、本発明の目的は、喫煙者にそのような確信を提供する手段を有する容器を与えることである。
【０００７】
【課題を解決するための手段】
本発明は、二つの主壁、二つの側壁、及び二つの端部壁を有する喫煙物品用容器であって、該容器が、１箱の喫煙物品の回りのバリヤー材料層の密閉した開閉容器からなり、該バリヤー材料層には喫煙物品取り出し口が決められており、該口が上端部壁から容器の主壁面の一方に入り込んで延びており、そこには該口の上に延び、そして該口のエッジのすべてを越えて延びたカバー層を有し、該カバー層は、該口を越えて該口のエッジに隣接するバリヤー材料層と係合できる永久的粘着性表面からなり、該カバー層は接着しないプル−タブを有し、それにより口を開けた後、前記口を越え前記エッジに隣接するバリヤー材料層と該カバー層の永久的粘着性表面とを再び係合させることにより前記開閉容器を再び密閉することができ、及び
シート状材料のラップが開閉容器の外側に付設され、該ラップは、カバー層の少なくとも一部分とそれに隣接するバリヤー材料層の上に延びており、該ラップを引き裂き、あるいは部分的に又はすべてを取り除くことで、喫煙物品取り出し口を最初に開けることができることを特徴とする喫煙物品用容器にある。
【０００８】
ラップは、プル−タブへのアクセスを妨げないことが好ましい。
シート状材料のラップは、密閉した開閉容器の前面及び背面主壁、二つの側壁、及び底端部壁に渡って延びていることが好ましい。有利なのは、カバー層の接着剤のないプル−タブの位置では、シート状材料のラップは、細長く、横方向に延びた開口を有していることである。この接着剤のないプル−タブは、その開口を通して突出していることが好ましい。
【０００９】
代替として、シート状材料のラップに弱いラインで細長いフラップを区画することができ、このフラップは弱くない下部ヒンジラインを有し、その結果、フラップが該ヒンジラインの回りで外側下方に折りたたまれると、開口が現れ、そこを通して接着剤のないプル−タブが延びることができるようにされている。
【００１０】
更に代替として、シート状材料のラップにある開口が、該ラップに設けた一本のカットラインであり、該ラインを通してプル−タブが延びている。
【００１１】
代替として、シート材料のラップが、密閉した開閉容器の前面主壁の一部、二つの側壁及び底端部壁に延びている。有利なのは、該シート材料のラップは二つの側壁と底短部壁のすべてを実質的に覆っていることである。
【００１２】
シート材料のラップは、少なくともカバー層の一部と上端部壁のバリヤー層に延びていることが好ましい。有利なのは、シート材料のラップは実質的に上端部壁のすべて渡って延びていることである。
【００１３】
代替として、シート材料のラップは、カバー層の一部と前面主壁のバリヤー層に延びている。好適なのは、シート材料のラップに少なくとも１つの弱いラインを設けることができ、それにより、その弱いラインに沿ってシート材料のラップを引き裂くことで、喫煙物品取り出し用口を最初に開けることができる。
【００１３】
更になお代替として、シート材料のラップが容器の前面主壁のカバー層を実質的に隠すように、密閉した開閉容器の実質的に前面主壁のすべてに渡って延びている。
【００１４】
シート状材料のラップは、そこに弱いラインを有することが好ましい。有利なのは、シート状材料のラップは、プル−タブを有し、それにより、シート状材料のラップは、引き裂くことができるか、あるいは部分的又は全体に取り除くことができることである。このプル−タブは容器の側壁又は上端部壁のいずれかに隣接して位置している。
【００１５】
【発明の実施の形態】
図１及び２の従来のタバコ（紙巻タバコ）の容器は、フレキシブルなシート状バリヤー材料の開閉容器１からなる。バリヤー材料は、例えば、金属ホイル／プラスチックのラミネート又は金属被覆プラスチックフィルムが適している。
【００１６】
図１及び２に見られるように、シート状バリヤー材料のエッジは、開閉容器１の底端壁と二つの側壁で一方を他方の上に重ねている。バリヤー材料のそれらの重ね合わせたエッジは、例えば、加熱性シーラントによりシールされている。
【００１７】
開閉容器１のタバコ取り出し口は、開閉容器１のバリヤー材料に弱いライン２で縁取りされている。図２に見られるように、口は、上端部壁の背面エッジ３から前面エッジ４まで開閉容器１の上端部壁を越えて開閉容器１の前面主壁に至り、その前面主壁の下方に容器全高の約６分の１の高さまで延びている。また上端部壁の背面エッジ３は取り出し口を縁取りし、その口は従って完全にバリヤー材料の弱いライン２と開閉容器１の背面エッジ３によって決められている。通常矩形状のカバー層５はその下面に接着剤を全面塗布することで開閉容器１のバリヤー材料に接着され、開閉容器１の背面主壁（図１参照）の上部部分に延びている。カバー層５は、口を閉じた位置では、上端部壁を越えて前面主壁（図２参照）の上部部分にある。図２から明らかなように、開閉容器１の上端部壁の各端部では、カバー層５が上端部壁において決められた取り出し口のその部分を越えて延びている。同様に、図２からわかるように、カバー層５は、開閉容器１の前面主壁で弱いライン２により決められた取り出し口のその部分の三つのすべての側部を超えて延びている。
【００１８】
開閉容器１の上端部壁と前面主壁に、決められた取り出し口の外方に配置されたカバー層５の下面の連続したマージン領域には少なくとも永久的粘着性の接着剤が塗られている。取り出し口に重なるカバー層５の下面のその位置の接着剤は、下面の前述のマージン領域に塗られたものと同様な永久的粘着性の接着剤にしてもよい。同じ永久的粘着性の接着剤は、また開閉容器１（図１）の背面壁にカバー層５を固定する目的で利用されるように構成してもよい。
【００１９】
図２に見られるように、プル−タブ６は、開閉容器１の前面主壁にあるカバー層の部分の下部エッジから延びている。プル−タブ６の下面には、接着剤はないので、プル−タブ６は開閉容器１のバリヤー材料には接着してない。それゆえ、開閉容器１の前面主壁からカバー層５を後ろにはがすために喫煙者は容易に握ることができる。そして、プル−タブ６は、弱いライン２により縁取りされた取り出し口を介して開閉容器１からタバコを取り出すために、上端部壁の少なくとも一部において対応する範囲、即ち、弱いライン２で決められたバリヤー材料の部分でカバー層５に接着した部分まで後ろに剥される。
【００２０】
図３に示す容器は、本発明の容器であり、図１及び２の従来の容器と同じであるが、加えて、図３の本発明の容器は、外側シート状材料のラップ７を有している。ラップ７は、開閉容器１の前面及び背面主壁、二つの側壁及び底端部壁を覆って延びているが、開閉容器１の上端部壁には延びてない。好ましくは、ラップ７は、図示しない位置で開閉容器１に接着剤で固定されている。
【００２１】
ラップ７の外方表面では、ラップ７には、例えば、ブランドネームや及び／又はロゴのような印を付けることができる。従って、容器は、一見ソフトカップタバコ容器に似ている。
【００２２】
カバー層５のプル−タブ６の位置には、外側ラップ７は、細長く、横方向に延びる開口８を有している。プル−タップ６は、実質的に開口８を通して開閉容器１に鉛直に突出している（オーバーラップ材料が除かれてしまうと）。プル−タップ６は、従って、開閉容器１に対してラップ７の存在に拘わらず、直ぐに握ることができる。
【００２３】
図３の容器を最初に開けるときに、カバー層５を後ろに剥すためにプル−タップ６を握る。このような後ろに剥す最初の動作では、ラップ７の開口８と上部エッジ（９）との間のその位置でラップ７は力ずくで引き裂かれる。ラップ７は、このような引き裂きによって容器の内部にアクセスできるように構成することが必要になる。
【００２４】
外側ラップ７は、比較的簡単に引き裂ける材料、例えば、紙であることが好ましい。カバー層５を最初後ろに剥しラップ７を引き裂くことを助けるために、特にラップ７が簡単に引き裂けない材料の場合には、図示しない弱い二つのラインを設けてもよい。そのようなラインは、開口８の各端部からラップ７のエッジ９まで延びている。
【００２５】
図３の容器には、ポリフィルムの全体を覆う、開封帯を備えた保護うわ包装を施してもよい。このようなうわ包装は、ソフトカップ容器では従来からあり、透明でよい。プル−タブ６が外側ラップ７とぴったりと接触状態で折り重ねられた後に図３の容器にうわ包装をすることが好ましい。
【００２６】
図３の容器が有利なのは、前述の一箱分のタバコと開閉容器１の壁との間に置かれる、（図３には示してない）フレーム手段を含んでいることである。フレーム手段によって、図３の容器には、従来のソフトカップ容器にはない、ある程度の剛性が与えられる。
【００２７】
フレーム手段は、例えば、図４に示す内側フレームの形を取ることができる。内側フレームは、一般にＷＯ９８／２２３６７及びＷＯ９８／２２３６８に開示されているが、硬く、折りたためるカードあるいは紙材料から作られている。内側フレームには、通常矩形で図３の容器において開閉容器１の前面主壁の高さと幅の寸法に各々対応した高さと幅を有する主パネル１０が含まれている。内側フレームは、更に開閉容器１の側壁のそれらに対応した高さ、及び幅の寸法の側面パネル１１、１２、及びベースパネル１３を含んでいる。
【００２８】
従って、図４の内側フレームによるフレーム手段は、図３の容器に組み込まれると、パネル１０は、開閉容器１の前面主壁のすく背後に位置し、側面パネル１１、１２は、同様に開閉容器１の各々側壁に相対的に位置される。図３の容器では、１箱のタバコは、容器が図３に示すようなその方向にあるときベースパネル１３の上に乗っている。
【００２９】
図４の内側フレームのパネル１０は、切抜き１４を有し、その切抜き１４は、開閉容器１の前面主壁で広がり、開閉容器１の取り出し口のその位置と合うような大きさで形付けられている。側面パネル１１、１２の各々の上端部からタブ１５、１６が延び、このタブ１５、１６は、開閉容器１の上面端部壁に延びる取り出し口のその部分の各エッジにまで内方に延びているか、又は各エッジの領域に入り込んでいる。
【００３０】
図３の容器をあけた後、カバー層５がその口が閉じた位置に戻され、カバー層５のマージンで永久粘着性の接着剤によって、口が再び閉じられるように開閉容器１のバリヤー材料が押圧されると、タブ１５、１６及び切抜き１４に隣接したパネル１０の部分は、表面に反発を与え、容器の上部表面あるいは上面を強化するように働く。
【００３１】
図４の内側フレームの形態によって、その側壁を有する容器前面及び背面壁の結合点において図３の容器は鋭く、鋭角のコーナーになる。またその代わりに内側フレームは、それらの接合点で傾斜した又はまるい角となるように形付けられていてもよい。
【００３２】
外側ラップ７の開口８は、箱型の細長い形状にラップ７の材料をカットし、材料のこのように決められた部分を除去し、捨てることにより得られるが、同じ目的を達成する開口を得るための別の方法を考えてもよい。従って、例えば、弱いラインによって細長いフラップを区画することができる。フラップは弱くない下部ヒンジラインを有しており、フラップがヒンジラインの回りで外側及び下方に折りたたまれると、開口が現れて、そこを介してプル−タブ６が延びるようにすることができる。別の方法によると、開口はラップ７に一本のカットラインの形を取り、そこを通してプル−タブ６が延びる。
【００３３】
外側ラップ７は開閉容器の回りに全体に延びている必要はない。例えば、開閉容器１の背面主壁全体に延びるラップ７の代わりに、ラップ７は背面主壁のエッジのみに延びる場合とすることもできる。勿論、ラップ７が、開閉容器１全体に延びていないときでも、ラップ７は開閉容器１に必ず固定されなければならない。
【００３４】
外側ラップが開閉容器１の上端部壁に延びてもよい。もし外側ラップが開閉容器１の上端部壁全体に延びている場合には、容器を最初開けるときに、外側ラップは、容器の前面主壁でのみ引き裂かれるだけでなく、同様にその上端部壁でも引き裂かれる。外側ラップが前面壁においてカバー層の前に延びてはいないが、開閉容器の上端部壁に延びているとき、容器を最初に開けるときには、外側ラップはその上端部壁のみを引き裂くことになる。
【００３５】
図５に示す容器は、この容器は本発明の別の態様のものであり、図３の容器と同等な容器であるが、シート状材料のラップ７が、前面主壁と上端部壁の部分、二つの側壁、背面主壁及び底端部壁のすべてに延びている。ラップ７は、前面主壁と上端部壁の部分が開いており、その結果、プル−タブ６は、カバー層５を後ろに剥すために握ることができる。そのような後ろに剥す最初の動作ではラップ７の部分は、力ずくで引き裂かれる。ラップ７は、このような引き裂きによって容器の内部にアクセスできるように構成することが必要になる。
【００３６】
カバー層５を最初に後ろへ剥すことによるラップ７の引き裂きを助けるために、特にラップ７が簡単に引き裂けない材料のときは、図示してないが弱い二つのラインを施してもよい。そのラインは、プル−タブ６の各端部からラップ７の背面エッジ３’までシート状材料のラップに延びている。
【００３７】
図６に示す容器は、本発明の更に別の容器であり、図５の容器と同じ容器であるが、シート状材料のラップ７が、開閉容器１の前面主壁にカバー層５の部分に延びており、開閉容器１の上端部壁を覆っていない。
【００３８】
図７に示す容器は、本発明の更に別の容器であり、図３の容器と同じ容器であるが、シート状材料のラップ７は、その前面主壁にカバー層５を隠すように、開閉容器１の前面主壁、二つの側壁、底端部壁及び背面主壁の全体に延びている。
【００３９】
ラップ７の引き裂きを助けるために、少なくともラップ７の二つの側壁とプル−タブ１８との間に延びる弱いライン１７を設けることができる。それにより、ラップ７は、引き裂かれるか、部分的に又は全体が取り除かれ、それでプル−タブ６に届くことができる。プル−タブ１８は、開閉容器１の側壁又は上端部壁のいずれかに隣接して位置されていることが好ましい。
【００４０】
上記のいずれの容器もフレーム手段を有していることが好ましい。フレーム手段は開閉容器１の前述の一箱のタバコと壁との間に置かれる。フレームにより、従来のソフトカップパッケージにはない、ある程度の剛性が容器に付与される。フレーム手段は例えば、図４の内側フレームの形を取ることができる。
【図面の簡単な説明】
【図１】
公知のタバコ容器を背面及び下面から見たときの透視図である。
【図２】
図１のタバコ容器を前面及び上面から見たときの透視図である。
【図３】
本発明のタバコ容器を前面及び上面から見たときの透視図である。
【図４】
内側フレームの透視図である。
【図５】
本発明の別の態様の前面及び上面から見たときの透視図である。
【図６】
本発明の別の態様の前面及び上面から見たときの透視図である。
【図７】
本発明の別の態様の前面及び上面から見たときの透視図である。
【国際公開パンフレット】
2004508244.tif 000003
2004508244.tif 000004
2004508244.tif 000005
2004508244.tif 000006
2004508244.tif 000007
2004508244.tif 000008
2004508244.tif 000009
2004508244.tif 000010
2004508244.tif 000011
2004508244.tif 000012
2004508244.tif 000013
2004508244.tif 000014
2004508244.tif 000015
2004508244.tif 000016
2004508244.tif 000017
2004508244.tif 000018
2004508244.tif 000019
2004508244.tif 000020
2004508244.tif 000021
2004508244.tif 000022
2004508244.tif 000023
2004508244.tif 000024
2004508244.tif 000025
【国際調査報告】
2004508244.tif 000026
2004508244.tif 000027
2004508244.tif 000028